【手続補正書】
【提出日】平成19年3月20日(2007.3.20)
【手続補正１】
【補正対象書類名】特許請求の範囲
【補正対象項目名】全文
【補正方法】変更
【補正の内容】
【特許請求の範囲】
【請求項１】
溶融した原料樹脂を押出機のダイヘッドのダイとコアとの間に形成されるダイスリットから押出・垂下して成形されるパリソンの肉厚制御方法であって、
ブロー成形される中空成形品の外郭形状，その外郭形状寸法および付着する余剰樹脂部の寸法をコンピュータに入力し、余剰樹脂部が付着した中空成形品を長さ方向で所定数に分割して、これら分割位置の肉厚断面積をそれぞれ算出し、これら算出した肉厚断面積を、前記溶融原料樹脂が前記ダイスリットから吐出されて大気に解放された状態におかれたパリソンの肉厚断面積を前記吐出された時点でのパリソンの肉厚断面積によって除算した値であるパリソン断面積スウェルで除して前記ダイスリットの断面積を算出し、該算出スリット断面積に該当するコア位置あるいはダイ位置を求め、該コア位置あるいはダイ位置をプロファイルの補正を考慮した所定の比率間に当て嵌めて位置割合値を算出し、該位置割合値より、コア位置あるいはダイ位置が前記ダイヘッドの基準位置から最下位となる最小値および前記基準位置から最上位となる最大値を求め、ついで該最小値と最大値の間で移動するコア位置あるいはダイ位置を算出・補間してプロファイルを作成し、このプロファイルでパリソンの肉厚を制御することを特徴とする中空成形機におけるパリソンの肉厚制御方法。
【手続補正２】
【補正対象書類名】明細書
【補正対象項目名】００１３
【補正方法】変更
【補正の内容】
【００１３】
上記の技術的課題を解決するために、請求項１に記載の発明にあっては、溶融した原料樹脂を押出機のダイヘッドのダイとコアとの間に形成されるダイスリットから押出・垂下して成形されるパリソンの肉厚制御方法であって、ブロー成形される中空成形品の外郭形状，その外郭形状寸法および付着する余剰樹脂部の寸法をコンピュータに入力し、余剰樹脂部が付着した中空成形品を長さ方向で所定数に分割して、これら分割位置の肉厚断面積をそれぞれ算出し、これら算出した肉厚断面積を、前記溶融原料樹脂が前記ダイスリットから吐出されて大気に解放された状態におかれたパリソンの肉厚断面積を前記吐出された時点でのパリソンの肉厚断面積によって除算した値であるパリソン断面積スウェルで除して前記ダイスリットの断面積を算出し、該算出スリット断面積に該当するコア位置あるいはダイ位置を求め、該コア位置あるいはダイ位置をプロファイルの補正を考慮した所定の比率間に当て嵌めて位置割合値を算出し、該位置割合値より、コア位置あるいはダイ位置が前記ダイヘッドの基準位置から最下位となる最小値および前記基準位置から最上位となる最大値を求め、ついで該最小値と最大値の間で移動するコア位置あるいはダイ位置を算出・補間してプロファイルを作成し、このプロファイルでパリソンの肉厚を制御することを特徴としている。
【手続補正３】
【補正対象書類名】明細書
【補正対象項目名】００１７
【補正方法】変更
【補正の内容】
【００１７】
プロファイルの作成に要する時間が短くなり、中空成形機の操作者の労力が軽減されるとともに、中空成形機の段取・準備時間が短縮され、その結果、中空成形機自体の稼働時間が長くなり、好適な生産効率を得ることができる。
【手続補正４】
【補正対象書類名】明細書
【補正対象項目名】００４１
【補正方法】変更
【補正の内容】
【００４１】
そして、筒状パリソンＰの肉厚の調整は、パリソンの肉厚制御用プロファイルに基づく、サーボモータ４３の回転・駆動の制御による、コア２２の垂直（上下）方向の位置・高さ（あるいは移動量）が調節されることによって行われる。
【手続補正５】
【補正対象書類名】明細書
【補正対象項目名】００４６
【補正方法】変更
【補正の内容】
【００４６】
図４のステップ１では、ＣＡＤデータをコンピュータＰＣに取り込み、成形される中空成形品Ｓの外郭形状を指定するとコンピュータＰＣ内のアプリケーション上に中空成形品Ｓの外郭形状として認識され、表１に示すような成形される中空成形品Ｓの外郭形状および高さ（部位６〜部位４７）を、コンピュータＰＣにＣＡＤデータより入力する。
【手続補正６】
【補正対象書類名】明細書
【補正対象項目名】００４７
【補正方法】変更
【補正の内容】
【００４７】
ステップ２では、表１に示すような成形される中空成形品Ｓの肉厚寸法を、コンピュータＰＣにそのキーボードを介して入力する。
【手続補正７】
【補正対象書類名】明細書
【補正対象項目名】００４８
【補正方法】変更
【補正の内容】
【００４８】
ステップ３では、表１に示すような成形される中空成形品Ｓに付着する上方の余剰樹脂部（バリ）Ｂおよび下方の余剰樹脂部（バリ）Ｂの長さ寸法、肉厚寸法、幅寸法を、コンピュータＰＣにそのキーボードを介して入力する。
【手続補正８】
【補正対象書類名】明細書
【補正対象項目名】００５１
【補正方法】変更
【補正の内容】
【００５１】
ステップ６では、成形される中空成形品Ｓに付着する上方および下方の余剰樹脂部（バリ）Ｂを含んだ全長を、表２に示すように、長さ方向で５０個に、コンピュータＰＣを介して分割する。
【手続補正９】
【補正対象書類名】明細書
【補正対象項目名】００５２
【補正方法】変更
【補正の内容】
【００５２】
ステップ７では、表２に示すように、成形される中空成形品Ｓの分割位置における、肉厚断面積（Ａ１）をコンピュータＰＣで演算し、算出した結果をコンピュータＰＣに保存する。
【手続補正１０】
【補正対象書類名】明細書
【補正対象項目名】００５３
【補正方法】変更
【補正の内容】
【００５３】
ステップ８では、算出した各位置における肉厚断面積（Ａ１）を、パリソン断面積スウェルで除して、表２に示すような分割された各位置におけるクロスヘッドダイ（口金）のスリット断面積（Ａ２）をコンピュータＰＣで（式１）を用いて演算し、算出した結果をコンピュータＰＣに保存する。
【手続補正１１】
【補正対象書類名】明細書
【補正対象項目名】００５４
【補正方法】変更
【補正の内容】
【００５４】
スリット断面積（Ａ２）＝肉厚断面積（Ａ１）×（１／スウェル）    （式１）
ただし、パリソン断面積スウェルの数値は、使用する原料樹脂別に予めコンピュータＰＣにデータベースとして保存してあり、これから取り出して使用する。
【手続補正１２】
【補正対象書類名】明細書
【補正対象項目名】００５５
【補正方法】変更
【補正の内容】
【００５５】
ここで、クロスヘッドダイ（口金）から吐出された時点における原料樹脂は、周知のように、加圧状態にあり、ダイスリット（間隙）から吐出された時点のパリソンの肉厚（断面積）のものが、吐出後には大気に開放された状態におかれて拡大方向に肉厚（断面積）に変化する。
【手続補正１３】
【補正対象書類名】明細書
【補正対象項目名】００５６
【補正方法】変更
【補正の内容】
【００５６】
スウェルは、（大気に開放された状態の肉厚（断面積））／（吐出された時点のパリソンの肉厚（断面積））の値をいう。これは、原料樹脂の種類、成形条件やクロスヘッドダイ（口金）の形状などによって変わるが、通常は経験的に得たデータを使用している。
【手続補正１４】
【補正対象書類名】明細書
【補正対象項目名】００５７
【補正方法】変更
【補正の内容】
【００５７】
ステップ９では、クロスヘッドダイ（口金）のスリット断面積が算出したスリット断面積（Ａ２）となる、表２に示すようなコア位置（Ｈ）を求め、求められたコア位置（Ｈ）をコンピュータＰＣに保存する。
【手続補正１５】
【補正対象書類名】明細書
【補正対象項目名】００６０
【補正方法】変更
【補正の内容】
【００６０】
ステップ１０では、コア位置（Ｈ）のＭａｘ値とＭｉｎ値を求め、分割された各位置でのコア位置（Ｈ）の補正を考慮した数値、８０％〜２０％間に当て嵌め、８０％＝Ｍａｘ値、２０％＝Ｍｉｎ値に換算した位置割合値（ＰＨ）をコンピュータＰＣで（式２）を用いて演算し、算出した結果をコンピュータＰＣに保存する。
【手続補正１６】
【補正対象書類名】明細書
【補正対象項目名】００６１
【補正方法】変更
【補正の内容】
【００６１】
割合値（ＰＨ）＝（Ｍａｘ値−Ｍｉｎ値）×１／（８０％−２０％）  （式２）
＝（２．２６−０．４８）÷６０％＝０．０３ｍｍ／％
なお、数値８０％〜２０％は、得られたコア位置（Ｈ）を用いてブロー成形を行った結果、所定の肉厚値にならない場合補正することを考慮して定めたものであり、新規原料樹脂の使用や経験の過不足など状況によっては、８０％以上〜２０％以下あるいは８０％以下〜２０％以上としてもよい。